(57)【要約】【課題】鱗翅目昆虫に対する防除効果に優れた防除器を提供する。【解決手段】飛来した鱗翅目昆虫を捕虫部へ誘導し捕獲する防除器であって、支柱に張り巡らされたネットによって形成される奥壁、高さの異なる左右側壁、天井面からなり、奥壁上辺及び左右側壁上辺に設けられた傾斜に沿って前記天井面が形成され、且つ、床面と前記天井面のとの間に開口部が設けられたテント状の捕捉部と、円筒状のネットによって形成され、その入口部が前記捕捉部の高さの高い方の側壁と接続した誘導路と、袋状ないし箱状の構造を有し、前記誘導路の出口部が接続した捕虫部と、を備え、前記捕捉部における床面から誘導路入口部までの高さが８０〜１００ｃｍであり、前記捕捉部における開口部の高さが３０〜８０ｃｍであることを特徴とする鱗翅目昆虫防除器。【選択図】      図１
2011055772.tif 000002
【特許請求の範囲】
【請求項１】
飛来した鱗翅目昆虫を捕虫部へ誘導し捕獲する防除器であって、
支柱に張り巡らされたネットによって形成される奥壁、高さの異なる左右側壁、天井面からなり、奥壁上辺及び左右側壁上辺に設けられた傾斜に沿って前記天井面が形成され、且つ、床面と前記天井面のとの間に開口部が設けられたテント状の捕捉部と、
円筒状のネットによって形成され、その入口部が前記捕捉部の高さの高い方の側壁と接続した誘導路と、
袋状ないし箱状の構造を有し、前記誘導路の出口部が接続した捕虫部と、を備え、
前記捕捉部における床面から誘導路入口部までの高さが８０〜１００ｃｍであり、前記捕捉部における開口部の高さが３０〜８０ｃｍであることを特徴とする鱗翅目昆虫防除器。
【請求項２】
前記奥壁上辺に設けられた傾斜の傾斜角度が６°以上であることを特徴とする請求項１に記載の鱗翅目昆虫防除器。
【請求項３】
さらに、前記開口部直上に障壁を備え、該障壁の高さが１００〜１３０ｃｍであることを特徴とする請求項１又は２に記載の鱗翅目昆虫防除器。
【請求項４】
前記誘導路の出口部の口径が１〜３ｃｍであることを特徴とする請求項１〜３のいずれかに記載の鱗翅目昆虫防除器。
【請求項５】
前記鱗翅目昆虫が、モンシロチョウであることを特徴とする請求項１〜４のいずれかに記載の鱗翅目昆虫防除器。
【発明の詳細な説明】
【技術分野】
【０００１】
本発明は、鱗翅目昆虫防除器に関し、特にその捕獲量改善に関する。
【背景技術】
【０００２】
鱗翅目モンシロチョウ属の代表種であるモンシロチョウの幼虫は、アブラナ科植物を食草とし、成虫は同植物へ一匹当たり１００〜２００の卵を産み付ける。そのため、ケール等のアブラナ科農作物の生産において、モンシロチョウ属は害虫として防除されてきた。
一般的な害虫防除手段に農薬の散布による駆除があるが、近年の農薬の安全性に対する懸念の高まりに応じ、農薬等の薬剤を使用しないネット（網）による捕獲に関する技術開発がなされている。
例えば、特許文献１には、筒状の捕獲ネット内へ鱗翅目昆虫を誘導し、捕獲する捕獲器が開示され、非特許文献１には、虫の上方へ上る習性を利用し、捕虫部にハチやハエ等の害虫を誘導する防虫ネットで作られた捕虫器が記載されている。また、このような虫の習性を利用したテント型の昆虫採集方法の原型は、いわゆるマレーズトラップとして古くから知られている。
【先行技術文献】
【特許文献】
【０００３】
【特許文献１】特開２００２−１７２３１
【非特許文献】
【０００４】
【非特許文献１】現代農業、社団法人農山漁村文化協会、２００５年６月号、ｐｐ．７５〜７７
【発明の概要】
【発明が解決しようとする課題】
【０００５】
しかし、上記特許文献１に記載の捕獲器は、鱗翅目昆虫の捕獲に適した構造を有しているものの、大型化が難しく、設置された餌に誘引された個体のみが捕獲されるため、特に大規模農場での使用においては、防除効率が不十分であった。
また、非特許文献１に記載される捕虫器は、ネットに飛来したハチやハエの他、ガガンボ、ハムシ、カなどの害虫を広範囲に効率よく捕虫部へ誘導することができるが、前記害虫とは飛翔特性の異なる鱗翅目に関しては、捕虫前にネットから逃避する個体が非常に多く、十分な防除効果を得ることができなかった。
本発明は上記問題に鑑みなされたものであり、鱗翅目昆虫に対する防除効果に優れた防除器を提供することを目的とする。
【課題を解決するための手段】
【０００６】
本発明者らは上記課題を解決すべく鋭意検討した結果、テント内へ飛来した害虫を捕虫部へ誘導し捕獲するマレーズトラップを利用した防除器において、害虫を捕捉するテント状構造の壁面及び害虫が侵入する開口部の高さを特定範囲とすることで、鱗翅目昆虫の捕獲量が飛躍的に向上することを見出し本発明を完成するに至った。
すなわち、飛来した鱗翅目昆虫を捕虫部へ誘導し捕獲する防除器であって、支柱に張り巡らされたネットによって形成される奥壁、高さの異なる左右側壁、天井面からなり、奥壁上辺及び左右側壁上辺に設けられた傾斜に沿って前記天井面が形成され、且つ、床面と前記天井面のとの間に開口部が設けられたテント状の捕捉部と、円筒状のネットによって形成され、その入口部が前記捕捉部の高さの高い方の側壁と接続した誘導路と、袋状ないし箱状の構造を有し、前記誘導路の出口部が接続した捕虫部と、を備え、前記捕捉部における床面から誘導路入口部までの高さが８０〜１００ｃｍであり、前記捕捉部における開口部の高さが３０〜８０ｃｍであることを特徴とする。
また、前記鱗翅目昆虫防除器において、前記奥壁上辺に設けられた傾斜の傾斜角度が６°以上であることが好適である。
また、前記鱗翅目昆虫防除器において、さらに、前記開口部直上に障壁を備え、該障壁の高さが１００〜１３０ｃｍであることが好適である。
また、前記鱗翅目昆虫防除器において、前記誘導路の出口部の口径が１〜３ｃｍであることが好適である。
さらに、前記害虫防除器において、前記鱗翅目昆虫が、モンシロチョウであることが好適である。
【発明の効果】
【０００７】
本発明によれば、害虫である鱗翅目（チョウ）を極めて効率的に防除することができ、該害虫の幼虫による農作物の食害を防ぐことが可能となる。
【図面の簡単な説明】
【０００８】
【図１】本発明にかかる鱗翅目昆虫防除器の実施形態を示す図である。
【図２】本発明にかかる鱗翅目昆虫防除器の実施形態を示す図である。
【図３】本発明にかかる鱗翅目昆虫防除器の誘導路の実施形態を示す図である。
【図４】本発明にかかる鱗翅目昆虫防除器の捕虫部の実施形態を示す図である。
【発明を実施するための形態】
【０００９】
以下、本発明の実施の形態を図１〜４を用いて説明する。
図１に示すように、鱗翅目昆虫防除器１０は、捕捉部１２、誘導路１４、及び捕虫部１６からなる。捕捉部１２と捕虫部１６とは、誘導路１４を介して接続されており、これらの内壁は連続している。
捕捉部１２は、支柱１８ａ〜ｄに張り巡らされたネットによって形成されるテント状の構造を有し、奥壁２０、左側壁２２、右側壁２４、天井面２６を備える。側壁２２及び２４の上辺、すなわち天井面２６との接辺は、それぞれ奥壁２０から前面に向けて低くなるように傾斜が設けられている。また、各側壁と奥壁との接辺を形成する支柱１８ｂ及びｄの長さには長短差が設けられ、これにより奥壁２０の上辺と天井面２６の接辺においても前記長短差に応じた傾斜が形成されている。すなわち、図１に示す形態の場合、左側壁２２と奥壁２０を支持する支柱１８ｄが、右側壁２４と奥壁２０を支持する支柱１８ｂよりも長くなっており、奥壁２０と天井面２６の接辺は、左側壁２２が高くなるように傾斜している。したがって、図１に示す防除器１０の捕捉部１２において、奥壁２０と左側面２２と天井面２６との交点Ｐが最も床面から高い位置となる。
【００１０】
前記のごとく傾斜した天井面２６と床面との間には開口部２８が設けられており、防除器１０へ飛来した鱗翅目昆虫は該開口部２８よりテント内へ侵入した後、いずれかの内壁に進行を阻まれる。鱗翅目昆虫は、双翅目（ハエ）、膜翅目（ハチ）、鞘翅目（ハムシ）などと同様に、飛翔中に障害物に当たると、該障害物を越えるために上へ進む習性を具えている。したがって、内壁に進行を阻まれた鱗翅目昆虫は、該内壁を伝ってテント上部へ向けて移動することになる。しかし、高い位置を直線的に飛翔する双翅目、膜翅目、鞘翅目に対し、鱗翅目は低い位置を曲線的にゆっくりと飛翔する。そのため、高い位置を直線的に飛翔する前記昆虫を捕捉する従来のテント型トラップでは、一度テント内へ入った鱗翅目が内部で不規則に飛翔するうちに再度外へ逃げ出してしまうことが多かった。そこで、本発明では、テント内を上部へ移動しようとする鱗翅目昆虫が、捕捉部１２の交点Ｐに向かってより確実に誘導されるよう、（１）開口部を鱗翅目昆虫が入り易く出難い高さとし、（２）誘導路入口の高さを鱗翅目昆虫の飛翔高さに応じた低構造とし、（３）鱗翅目昆虫の曲線的な飛翔に対応する奥行をもった構造とした。それ故、図１に示すように片方の側壁がもう片方よりも高く、且つ両側壁に奥行を持たせた構造を有し、さらに、特定部の高さを後述する範囲としたのである。
【００１１】
図１に示すように、捕捉部１２を構成するテントの左上奥部分（交点Ｐ近辺）には、誘導路１４が接続され、テント内の鱗翅目昆虫はその入口部３０より誘導路１４に入り、該誘導路内壁を伝い、出口部３２より捕虫部１６へ通り抜けることが可能となっている。
誘導路１４の出口部３２及び接続する捕虫部１６は、入口部３０よりも高い位置となるように設置することにより、前述の鱗翅目昆虫の習性を利用して、害虫を自ら捕捉部１２より捕虫部１６へ向けて移動させることができる。また、誘導路１４は、好ましくは円筒状の先細り構造を有しており、捕虫部１６へ移動した害虫が再び捕捉部へ戻ることのないように、出口部３２の口径は３ｃｍ以下に設計されている。
【００１２】
本発明にかかる鱗翅目昆虫防除器において、捕捉部１２における床面から誘導路入口部３０までの高さ、すなわち、図１中のａで表される長さは８０〜１００ｃｍであり、より好ましくは８５〜１００ｃｍである。また、前記捕捉部１２における開口部２８の高さ、すなわち図１中のｂで表される長さは３０〜８０ｃｍであり、より好ましくは３０〜５０ｃｍである。ａの示す長さが１００ｃｍを超える、あるいはｂの示す長さが８０ｃｍを超えると、鱗翅目昆虫が捕捉部から逃避してしまい、十分な捕獲量を得ることができない。また、ａの示す長さが８５ｃｍ未満、あるいはｂの示す長さが３０ｃｍ未満であると、鱗翅目昆虫が防除器を飛び越えるなどして捕捉部内に入り難くなり、十分な捕獲量を得ることができなくなる。
【００１３】
また、テントの奥行、すなわち側壁２２及び２４の底辺は、曲線的に飛翔する鱗翅目昆虫が外へ出ずにテント内を飛翔することができる程度の長さであり、具体的には３０ｃｍ以上とすることが好ましい。前記奥行に特に上限はないが、設置スペースや製造コストの点を考慮すれば３０〜１２０ｃｍ程度が好ましい。
また、図１の捕捉部１２において、天井面２６の傾斜角度θ１は６°以上とすることが好ましい。傾斜角度θ１が６°以上であると、テント内の鱗翅目昆虫が捕虫部１６へ誘導され易く、傾斜角度θ１が６°より小さいと、テント内の昆虫が捕虫部１６へ集まり難くなる傾向がある。
なお、誘導路を備えた側壁、すなわち図１における左側壁２２の傾斜角度θ２は特に制限されず、θ１の角度など他部位の条件に応じ、一般に１５〜７０°の範囲で設定することができる。
【００１４】
また、捕捉部１２におけるテントの幅、すなわち奥壁２０の底辺の長さは、前記傾斜の設定にもよるが、おおむね５ｍ以下とすることが好ましい。テントの幅が５ｍより広いと、進入した鱗翅目昆虫の誘導路への到達率が低くなることがある。
なお、本発明において、捕捉部１２を構成するネットの目合いは、鱗翅目昆虫が通り抜けず、且つ該昆虫が移動する際の足掛かりとなる細かさであれば特に制限されないが、特に目合い６〜１６ｍｍのものが好適である。前記目合いが６ｍｍに満たないネットを用いた場合、捕捉部の製造コストがかかり、さらには風で装置が倒れる可能性がある。
【００１５】
さらに、本発明においては、図２に示すように、捕捉部１２の開口部２８直上に障壁２９を備えることが好ましい。捕捉部１２を構成するテントを外部から飛び越えようとする鱗翅目昆虫は、床面に対して垂直に設置された前記障壁２９によって行く手を遮られる。前進を妨げられ、進路を模索する個体は、障壁下部の開口部２８より捕捉部１２内へ進入し易くなり、捕獲量の向上が可能となる。
図２に示す実施形態において、障壁２９は、障壁の高さ分が延長された支柱１８ａ及び１８ｃの間にネットを張った構成として、開口部２８の直上に設置することができる。
障壁２９は、開口部２８の縁部を底辺とした壁状構造を有し、該底辺からの壁高さは１００ｃｍ以上とする。前記高さに上限はないが、１００〜１３０ｃｍ程度あれば、飛翔する鱗翅目昆虫に対する障壁として十分な効果を得ることができる。一方、前記高さが１００ｃｍに満たないと、鱗翅目昆虫が障壁を越えてしまうことがある。
【００１６】
本発明にかかる鱗翅目昆虫防除器において、誘導路１４は、図３に示すように、入口部３０から出口部３２に向かって先細りした筒状の構造を有することが好ましい。このような構造により、鱗翅目昆虫が捕捉部から誘導路へ入りやすく、且つ、誘導路から捕虫部へ移動した昆虫が誘導路へ戻り難くなり、多くの個体をより確実に捕獲することができる。
特に、出口部３２の口径は１〜３ｃｍとすることが好ましく、前記範囲を超えると捕虫部の昆虫が逆流することがある。
図３に示す実施形態において、誘導路１４は、例えば、針金等を輪状とした支持体３４〜３８にネットを巻き、筒状に整形して得られる。ネットの目合いは捕捉部と同様に制限されないが、鱗翅目昆虫の誘導の点で特に目合い６〜１２ｍｍのものが好適である。なお、誘導路１４の長さは、防除器の大きさや設置条件に応じて適宜決定すればよいが、昆虫の移動距離を考慮すれば、より短い方が捕獲に適すると考えられる。
また、誘導路と捕捉部及び捕虫部との接続は、捕捉部及び捕虫部に誘導路の口径に応じて適当な穴を形成し、誘導路の接続部（入口部ないし出口部）と縫い合わせる等して、各部の内壁が連続的なものとなるよう適宜行うことができる。
【００１７】
本発明にかかる鱗翅目昆虫防除器において、捕虫部１６は、図４に示すような袋状ないしは箱状の構造とし、誘導された鱗翅目昆虫を保持することが好ましい。捕虫部１６には、保持された昆虫を取り出すための開閉可能な取り出し口を設けることができる。
図４に示す実施形態において、捕虫部１６は、例えば、針金等を輪状とした支持体４０及び４２にネットを巻き、末端部をひも等で結紮して得られ、該結紮を解くことにより捕虫部内の昆虫を採取することができる。
捕虫部１６の大きさは、一度に捕獲する昆虫の量や防除器の設置条件に応じて調整すればよく、図４の実施形態のようにネットを用いて作製するほか、任意の材質の瓶や箱を使用することも可能である。ネットを用いる場合、好適な目合いは６〜１２ｍｍである。
【００１８】
鱗翅目昆虫の習性を利用する本発明においては、捕虫部１６は捕捉部１２の最頂部と同じか、それよりも高い位置に設置することを要する。したがって、捕虫部１６は、図１に示すように支持棒４４上に固定するか、もしくは樹木等の固定物に吊り下げるなどして所望の高さに保持される。
また、捕虫部１６内には、鱗翅目昆虫の誘引物質（例えば、果物等）、捕獲された鱗翅目を捕食する昆虫等、あるいはアルコールや界面活性剤溶液等の捕獲液などを設置し、捕獲量をより向上させることができる。
【００１９】
本発明にかかる鱗翅目昆虫防除器は、鱗翅目に属するチョウやガ、好適にはモンシロチョウ属のチョウ、最適にはモンシロチョウの捕獲に有効である。防除対象となる鱗翅目昆虫が大きすぎると防除器を飛び越えてしまうことがあり、小さすぎると飛翔高さが低すぎて捕捉部の開口部から逃げてしまうことがある。
【実施例１】
【００２０】
図１に示す構成の防除器１０において、捕捉部１２における床面から誘導路入口部３０までの高さを、６０、７０、８０、８５、１００、１２０、１３０ｃｍとしたものをそれぞれモンシロチョウ成虫の発生したケール畑に１週間設置し、その捕獲量を下記基準により評価した。なお、いずれの試験例においても、前記高さ以外は同一の構成であり、捕捉部１２における開口部２８の高さは５０ｃｍ、誘導路出口部３２の口径は１ｃｍとした。結果を表１に示す。
捕獲量評価基準
◎：１日当たりのモンシロチョウ捕獲量が２０匹以上である。
○：１日当たりのモンシロチョウ捕獲量が１０〜１９匹である。
△：１日当たりのモンシロチョウ捕獲量が５〜９匹である。
×：１日当たりのモンシロチョウ捕獲量が０〜４匹である。
【００２１】
（表１）
2011055772.tif 000003
【００２２】
表１に示すとおり、捕捉部における床面から誘導路入口部までの高さを８０〜１００ｃｍ、特に８５〜１００ｃｍとした防除器では顕著なモンシロチョウ捕獲量が達成された。これに対し、前記高さを７０ｃｍ又は１２０ｃｍとした防除器は捕獲量が低く、高さを６０ｃｍ又は１３０ｃｍとすると、モンシロチョウが防除器を飛び越えたり、防除器内から逃げ出したりして、ほとんど捕獲することができなかった。
したがって、本発明において、捕捉部における床面から誘導路入口部までの高さは８０〜１００ｃｍとすることが好適である。
【００２３】
また、図１に示す構成の防除器１０において、捕捉部１２における開口部の高さを、２０、３０、５０、８０、１００ｃｍとしたものをそれぞれモンシロチョウ成虫の発生したケール畑に１週間設置し、その捕獲量を上記基準により評価した。なお、いずれの試験例においても、前記高さ以外は同一の構成であり、捕捉部１２における床面から誘導路入口部３０までの高さは８５ｃｍ、誘導路出口部３２の口径は１ｃｍとした。結果を表２に示す。
【００２４】
（表２）
開口部の高さ（ｃｍ）        ２０    ３０    ５０    ８０    １００    
捕獲量評価                    △      ○      ◎      ○      ×      
【００２５】
表２に示すとおり、捕捉部における開口部の高さが３０〜８０ｃｍとした防除器では顕著なモンシロチョウ捕獲量が達成されたが、前記高さを２０ｃｍ及び１００ｃｍとし場合、侵入口が低すぎてモンシロチョウが防除器内に入らなかったり、侵入口が広すぎて防除器内のチョウが逃げ出したりしたため、ほとんど捕獲することができなかった。
したがって、本発明において、捕捉部における開口部の高さは３０〜８０ｃｍとすることが好適である。
【００２６】
また、図１に構成の防除器１０における傾斜角度θ１を下記表３に示す角度とし、上記と同様に捕獲量を評価した。なお、いずれの試験例においても、前記傾斜角度以外は同一の構成であり、捕捉部１２における開口部２８の高さは５０ｃｍ、捕捉部１２における床面から誘導路入口部３０までの高さは８５ｃｍ、誘導路出口部３２の口径は１ｃｍとした。結果を表３に示す。
【００２７】
（表３）
傾斜角度θ１（°）          ３        ６        １０        １５      
捕獲量評価                  △        ○        ◎          ◎        
【００２８】
表３に示すとおり、傾斜角度θ１が６°以上とした試験例において、捕獲量の顕著な増加が認められた。対して、θ１を３°とした試験例では、十分な捕獲量が得られなかった。
したがって、本発明において、捕捉部における天井面の傾斜角度は、６°以上とすることが好適である。
【００２９】
さらに、図１に示す構成の防除器１０において、誘導路１４における出口部３２の口径を、１、３、４ｃｍとしたものをそれぞれモンシロチョウ成虫の発生したケール畑に１週間設置し、その捕獲量を上記基準により評価した。なお、いずれの試験例においても、前記高さ以外は同一の構成であり、捕捉部１２における床面から誘導路入口部３０までの高さは８５ｃｍ、捕捉部１２における開口部２８の高さは５０ｃｍとした。結果を表４に示す。
【００３０】
（表４）
誘導路出口部の口径（ｃｍ）        １    ３    ４    
捕獲量評価                        ◎    ○    △    
【００３１】
表４に示すとおり、誘導路出口部の口径を１〜３ｃｍとした防除器では、捕虫部内のモンシロチョウが誘導路を戻ることがなかった一方、同口径を４ｃｍとした場合では捕虫部のチョウが誘導路を戻って逃げ出したことによる捕獲量の減少が認められた。
したがって、本発明においては、誘導路の出口部の口径を１〜３ｃｍとすることが好適である。
【００３２】
図２に示す構成の防除器１０において、障壁２９の高さを０（障壁なし）、８０、１００、１３０ｃｍとしたものをそれぞれモンシロチョウ成虫の発生したケール畑に１週間設置し、モンシロチョウを捕獲した。各試験例の比較は、障壁なし（０ｃｍ）の試験例における捕獲量を１００％として算出した捕獲比率によって行った。結果を表５に示す。
なお、いずれの試験例においても、障壁の高さ以外の構成は同一とした。
【００３３】
（表５）
障壁の高さ（ｃｍ）        ０        ８０      １００      １３０      
捕獲比率（％）          １００    １００      ３００      ３５０
【００３４】
表５に示すとおり、障壁の高さを１００ｃｍ、１３０ｃｍとした試験例は、０ｃｍ、８０ｃｍとした試験例に比べ、チョウの捕獲量に顕著な増加が認められた。
したがって、本発明において、捕捉部に設ける障壁の高さは１００〜１３０ｃｍとすることが好適である。
【符号の説明】
【００３５】
１０        鱗翅目昆虫防除器
１２        捕捉部
１４        誘導路
１６        捕虫部
１８        支柱
２０        奥壁
２２        左側壁
２４        右側壁
２６        天井面
２８        開口部
３０        入口部
３２        出口部
【図１】
2011055772.tif 000004
【図２】
2011055772.tif 000005
【図３】
2011055772.tif 000006
【図４】
2011055772.tif 000007
【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
飛来した鱗翅目昆虫を捕虫部へ誘導し捕獲する防除器であって、
支柱に張り巡らされたネットによって形成される奥壁、高さの異なる左右側壁、天井面からなり、奥壁上辺及び左右側壁上辺に設けられた傾斜に沿って前記天井面が形成され、且つ、床面と前記天井面のとの間に開口部が設けられたテント状の捕捉部と、
円筒状のネットによって形成され、その入口部が前記捕捉部の高さの高い方の側壁と接続した誘導路と、
袋状ないし箱状の構造を有し、前記誘導路の出口部が接続した捕虫部と、
前記開口部直上に障壁とを備え、
前記捕捉部における床面から誘導路入口部までの高さが８０〜１００ｃｍであり、前記捕捉部における開口部の高さが３０〜８０ｃｍであり、前記障壁の高さが１００〜１３０ｃｍであることを特徴とする鱗翅目昆虫防除器。
【請求項２】
前記奥壁上辺に設けられた傾斜の傾斜角度が６°以上であることを特徴とする請求項１に記載の鱗翅目昆虫防除器。
【請求項３】
前記誘導路の出口部の口径が１〜３ｃｍであることを特徴とする請求項１又は２に記載の鱗翅目昆虫防除器。
【請求項４】
前記鱗翅目昆虫が、モンシロチョウであることを特徴とする請求項１〜３のいずれかに記載の鱗翅目昆虫防除器。